(57)【要約】【課題】  スマートカードなどの電子支払手段が搭載された携帯端末機を介してユーザーが無線網に接続し、容易に電子支払金額をチャージすることができる、携帯端末機を用いた電子支払金額チャージシステムおよびその方法を提供する。【解決手段】  電子支払金額チャージサーバーと電子支払金額のチャージ関連情報およびチャージによる決済関連情報を送受信することにより、電子支払金額チャージサーバーから「チャージ金額情報」を受信して記録し、チャージを完了する携帯端末機と、前記携帯端末機に無線網を介して連結され、前記携帯端末機と電子支払金額のチャージ関連情報を送受信し、多数の金額決済サーバーと連動してチャージによる「ユーザー決済情報」に関するチャージ決済ページを提供することにより、ユーザーが決済を行うようにする電子支払金額チャージサーバーとを含んでなる、携帯端末機を用いた電子支払金額チャージシステムを提供する。【選択図】      図１
2010015566.tif 000002
【特許請求の範囲】
【請求項１】
携帯端末機を用いた電子支払金額チャージシステムにおいて、
電子支払金額チャージサーバーと電子支払金額のチャージ関連情報およびチャージによる決済関連情報を送受信することにより、電子支払金額チャージサーバーから「チャージ金額情報」を受信して記録し、チャージを完了する携帯端末機と、
前記携帯端末機に無線網を介して連結され、前記携帯端末機と電子支払金額のチャージ関連情報を送受信し、多数の金額決済サーバーと連動してチャージによる「ユーザー決済情報」に関するチャージ決済ページを提供することにより、ユーザーが決済を行うようにする電子支払金額チャージサーバーとを含んでなることを特徴とする、携帯端末機を用いた電子支払金額チャージシステム。
【請求項２】
前記携帯端末機は、
スマートカードを備えるが、前記スマートカードから電子支払金額のチャージ関連情報を読出および記録するカード接続部を含むことを特徴とする、請求項１に記載の携帯端末機を用いた電子支払金額チャージシステム。
【請求項３】
前記スマートカードは、
加入者情報を搭載したＳＩＭ（subscriber  identity  module：加入者識別モジュール）カードまたはＵＳＩＭ（universal  subscriber  identity  module：汎用加入者識別モジュール）カードであることを特徴とする、請求項２に記載の携帯端末機を用いた電子支払金額チャージシステム。
【請求項４】
前記カード接続部は、前記携帯端末機のバッテリー取付面または前記携帯端末機の側面に備えられることを特徴とする、請求項２に記載の携帯端末機を用いた電子支払金額チャージシステム。
【請求項５】
前記携帯端末機の決済方式は、テレバンキング決済、銀行口座振替決済、クレジットカード決済、および携帯電話決済の少なくとも一つであることを特徴とする、請求項１に記載の携帯端末機を用いた電子支払金額チャージシステム。
【請求項６】
前記ユーザー決済情報は、チャージ金額（決済金額）、チャージ手段、出金口座番号、口座暗証番号、カード番号、カード暗証番号、氏名、および住民番号を含むことを特徴とする、請求項１に記載の携帯端末機を用いた電子支払金額チャージシステム。
【請求項７】
携帯端末機を用いた電子支払金額チャージ方法において、
（ａ）携帯端末機が無線網を介して電子支払金額チャージサーバーのチャージ決済ページに接続して「ユーザー決済情報」を入力する段階と、
（ｂ）前記電子支払金額チャージサーバーが前記ユーザー決済情報のチャージ手段に応じて多数の金額決済サーバーと連動して当該決済を行う段階と、
（ｃ）前記電子支払金額チャージサーバーがそれぞれのチャージ手段に応じてチャージ（決済）作業完了ページを提供する段階と、
（ｄ）前記電子支払金額チャージサーバーが決済金額だけのチャージのための「チャージ金額情報」を携帯端末機へ伝送する段階と、
（ｅ）前記携帯端末機が前記「チャージ金額情報」を受信して記録することにより、チャージを完了する段階とを含むことを特徴とする、携帯端末機を用いた電子支払金額チャージ方法。
【請求項８】
前記携帯端末機は、
カード接続部を介してスマートカードを備え、前記スマートカードから電子支払金額のチャージ関連情報を読出および記録することを特徴とする、請求項７に記載の携帯端末機を用いた電子支払金額チャージ方法。
【請求項９】
前記スマートカードは、加入者情報を搭載したＳＩＭ（subscriber  identity  module：加入者識別モジュール）カードまたはＵＳＩＭ（universal  subscriber  identity  module：汎用加入者識別モジュール）カードであることを特徴とする、請求項７に記載の携帯端末機を用いた電子支払金額チャージ方法。
【請求項１０】
前記携帯端末機の決済方式は、テレバンキング決済、銀行口座振替決済、クレジットカード決済、および携帯電話決済の少なくとも一つであることを特徴とする、請求項７に記載の携帯端末機を用いた電子支払金額チャージ方法。
【請求項１１】
前記ユーザー決済情報は、チャージ金額（決済金額）、チャージ手段、出金口座番号、口座暗証番号、カード番号、カード暗証番号、氏名、および住民番号を含むことを特徴とする、請求項７に記載の携帯端末機を用いた電子支払金額チャージ方法。
【発明の詳細な説明】
【技術分野】
【０００１】
本発明は、電子支払金額チャージシステムおよびその方法に係り、さらに詳しくは、電子支払手段が搭載された携帯端末機を用いて、ユーザーが無線網を介して容易に電子支払金額をチャージすることができる、携帯端末機を用いた電子支払金額チャージシステムおよびその方法に関する。
【背景技術】
【０００２】
急速な情報通信技術の発達に伴って登場した電子商取引は、既存の貨幣または支給決済手段の不便さを改善した新規方式による支給手段の需要を発生させた。その結果、電子支払手段、すなわち電子マネーの概念が登場した。
【０００３】
周知の如く、電子マネーは、電子商取引において既存の貨幣およびクレジットカード決済をインターネットで代替する電子決済方法から一段階発展した支払手段であって、一つの電子チップのみで貨幣の役割を代替するものをいう。この電子マネーは、電子認証、情報保安、暗号化などと共に、電子商取引のための要素技術の一つであり、実際商取引において支給として使用されているコインまたは紙幣と同等の価値を有するデジタル形態の決済手段である。
【０００４】
このようなデジタル形態の電子支払手段は、一般共通カードとは異なり、バス、地下鉄などの大衆交通の決済として利用することができるうえ、オンライン／オフライン加盟店においても商品購買またはサービスを利用することができる。ところが、電子支払手段を利用するユーザーは、チャージするキャッシュがない場合または周囲にチャージ機が設置されていない場合にそれによるユーザーの不便が加重されるという問題点があった。
【発明の概要】
【発明が解決しようとする課題】
【０００５】
そこで、本発明は、このような問題点に鑑みてなされたもので、その目的とするところは、スマートカードなどの電子支払手段が搭載された携帯端末機を介してユーザーが無線網に接続し、容易に電子支払金額をチャージすることができる、携帯端末機を用いた電子支払金額チャージシステムおよびその方法を提供することにある。
【課題を解決するための手段】
【０００６】
上記目的を達成するために、本発明のある観点によれば、携帯端末機を用いた電子支払金額チャージシステムにおいて、電子支払金額チャージサーバーと電子支払金額のチャージ関連情報およびチャージによる決済関連情報を送受信することにより、電子支払金額チャージサーバーから「チャージ金額情報」を受信して記録し、チャージを完了する携帯端末機と、前記携帯端末機に無線網を介して連結され、前記携帯端末機と電子支払金額のチャージ関連情報を送受信し、多数の金額決済サーバーと連動してチャージによる「ユーザー決済情報」に関するチャージ決済ページを提供することにより、ユーザーが決済を行うようにする電子支払金額チャージサーバーとを含んでなる、携帯端末機を用いた電子支払金額チャージシステムを提供する。
【０００７】
ここで、前記携帯端末機は、スマートカードを備えるが、前記スマートカードから電子支払金額のチャージ関連情報を読出および記録するカード接続部を含むことが好ましい。
【０００８】
また、前記スマートカードは、加入者情報を搭載したＳＩＭ(subscriber  identity  module：加入者識別モジュール)カードまたはＵＳＩＭ(universal  subscriber  identity  module：汎用加入者識別モジュール)カードであることが好ましい。
【０００９】
また、前記カード接続部は、前記携帯端末機のバッテリー取付面または前記携帯端末機の側面に備えられることが好ましい。
【００１０】
また、前記携帯端末機の決済方式は、テレバンキング決済、銀行口座振替決済、クレジットカード決済、および携帯電話決済の少なくとも一つであることが好ましい。
【００１１】
また、前記ユーザー決済情報は、チャージ金額（決済金額）、チャージ手段、出金口座番号、口座暗証番号、カード番号、カード暗証番号、氏名、および住民番号を含むことが好ましい。
【００１２】
本発明の他の観点によれば、（ａ）携帯端末機が無線網を介して電子支払金額チャージサーバーのチャージ決済ページに接続し、電子支払金額のチャージ金額（決済金額）、チャージ手段、出金口座番号、口座暗証番号、カード番号、カード暗証番号、氏名および住民番号を含む「ユーザー決済情報」を入力する段階と、（ｂ）前記電子支払金額チャージサーバーが前記ユーザー決済情報のチャージ手段に応じて多数の金額決済サーバーと連動して当該決済を行う段階と、（ｃ）前記電子支払金額チャージサーバーがそれぞれのチャージ手段に応じてチャージ（決済）作業完了ページを提供する段階と、（ｄ）前記電子支払金額チャージサーバーが決済金額だけのチャージのための「チャージ金額情報」を携帯端末機へ伝送する段階と、（ｅ）前記携帯端末機が前記「チャージ金額情報」を受信して記録することにより、チャージを完了する段階とを含む、携帯端末機を用いた電子支払金額チャージ方法を提供する。
【発明の効果】
【００１３】
上述した本発明によれば、チャージするキャッシュがない場合またはチャージ機がない場合に便利にチャージが可能であり、オフライン決済のみならず、オンライン決済手段としても活用できるという効果がある。
【図面の簡単な説明】
【００１４】
【図１】本発明に係る携帯端末機を用いた電子支払金額チャージシステムの全体構成図である。
【図２】本発明に係るスマートカードが搭載される様子を示す一例示図である。
【図３】本発明に係るスマートカードが搭載される様子を示す一例示図である。
【図４】本発明に係る携帯端末機の電子支払金額チャージ決済ページ接続画面およびチャージによるユーザーの決済方式を示す一例示図である。
【図５】本発明に係る携帯端末機を用いた電子支払金額チャージ方法の全体流れ図である。
【図６】本発明に係るそれぞれのチャージ手段のうちテレバンキング決済による画面を示す一例示図である。
【図７】本発明に係るそれぞれのチャージ手段のうち銀行口座振替決済による画面を示す一例示図である。
【図８】本発明に係るそれぞれのチャージ手段のうちクレジットカード決済による画面を示す一例示図である。
【図９】本発明に係るそれぞれのチャージ手段のうち携帯電話決済による画面を示す一例示図である。
【発明を実施するための形態】
【００１５】
本発明の具体的な特徴および利点は、添付図面に基づいた以降の詳細な説明からさらに明白になるであろう。これに先立ち、本発明に関連した公知の機能およびその構成については、その具体的な説明が本発明の要旨を乱すおそれがあると判断される場合には、その具体的な説明を省略したことに留意すべきである。
【００１６】
以下に添付図面を参照しながら、本発明について詳細に説明する。
【００１７】
まず、本発明に係る携帯端末機を用いた電子支払金額チャージシステムおよびその方法について、図１〜図９に基づいて説明する。
【００１８】
図１は本発明に係る携帯端末機を用いた電子支払金額チャージシステムＳに関する全体構成図である。本発明に係る携帯端末機を用いた電子支払金額チャージシステムＳは、図１に示すように、携帯端末機１００および電子支払金額チャージサーバー２００を含んでなる。
【００１９】
具体的に、携帯端末機１００は、電子支払金額チャージサーバー２００と無線網を介して連結され、電子支払金額チャージサーバー２００と電子支払金額のチャージ関連情報およびチャージによる決済関連情報を送受信することにより、電子支払金額チャージサーバー２００から「チャージ金額情報」を受信して記録し、チャージを完了する。このような携帯端末機１００は、通信可能な装置であって、Ｗｅｂ内容をディスプレイすることが可能なインターネットブラウザを持っており、無線インターネット通信が可能な移動電話、ＰＤＡ(Personal  Digital  Assistant)およびＩＭＴ２０００などを含む。
【００２０】
この際、携帯端末機１００は、カード接続部１１０を介してスマートカードを備え、このスマートカードから電子支払金額のチャージ関連情報を読出および記録する機能を行う。
【００２１】
また、カード接続部１１０は、図２に示すように、携帯端末機のバッテリー取付面に備えられ、スマートカードを搭載するものと設定したが、本発明はこれに限定されない。カード接続部は、図３に示すように、携帯端末機の側面に備えられるものと設定してもよい。
【００２２】
ここで、スマートカードは、加入者情報を搭載したＳＩＭ(subscriber  identity  module：加入者識別モジュール)カードまたはＵＳＩＭ(universal  subscriber  identity  module：汎用加入者識別モジュール)カードなどを含む。
【００２３】
電子支払金額チャージサーバー２００は、携帯端末機１００に無線網を介して連結され、携帯端末機と電子支払金額チャージ関連情報を送受信し、多数の金額決済サーバー３００と連動して、チャージによる「ユーザー決済情報」に関するチャージ決済ページを提供することにより、ユーザーが決済を行うようにする機能を行う。
【００２４】
この際、チャージによるユーザーの決済方式は、図４に示すように、テレバンキング決済、銀行口座振替決済、クレジットカード決済、携帯電話決済などに設定可能である。これにより、金額決済サーバー３００は、銀行サーバー、カード社サーバー、移動通信社サーバーなどに設定可能である。ここで、「ユーザー決済情報」とは、チャージ金額（決済金額）、チャージ手段、出金口座番号、口座暗証番号、カード番号、カード暗証番号、氏名、住民番号などを含む。
【００２５】
以下に図５〜図９を参照しながら、上述したシステム（Ｓ）を用いて、本発明に係る携帯端末機を用いた電子支払金額チャージ方法について説明する。
【００２６】
図５は本発明に係る携帯端末機を用いた電子支払金額チャージ方法の全体流れ図である。図５に示すように、携帯端末機１００は、無線網を介して電子支払金額チャージサーバー２００のチャージ決済ページに接続し（Ｓ１００）、電子支払金額のチャージ金額（決済金額）、チャージ手段、出金口座番号、口座暗証番号、カード番号、カード暗証番号、氏名、住民番号などの「ユーザー決済情報」を入力する（Ｓ２００）。
【００２７】
その後、電子支払金額チャージサーバー２００は、前記ユーザー決済情報のチャージ手段に応じて、多数の金額決済サーバー３００と連動して当該決済を行った後（Ｓ３００）、図６〜図９に示すように、それぞれのチャージ手段に応じてチャージ（決済）作業完了ページを提供する（Ｓ４００）。
【００２８】
電子支払金額チャージサーバー２００は、決済金額だけのチャージのための「チャージ金額情報」を携帯端末機１００へ伝送し（Ｓ５００）、携帯端末機１００は、カード接続部１１０を介して前記「チャージ金額情報」を受信して記録することにより、チャージを完了する（Ｓ６００）。
【００２９】
以上、本発明の技術的思想を例示するための好適な実施例について説明および図示したが、本発明は、このように図示および説明された構成および作用に限定されるものではない。当業者であれば、技術的思想の範疇を逸脱することなく、本発明に対して様々な変更および修正を加え得ることが理解できるだろう。したがって、それらの適切な変更および修正とその均等物についても本発明の範囲に属するものと看做すべきである。
【符号の説明】
【００３０】
Ｓ      携帯端末機を用いた電子支払金額チャージシステム
１００  携帯端末機
１１０  カード接続部
２００  電子支払金額チャージサーバー
３００  金額決済サーバー
【図１】
2010015566.tif 000003
【図２】
2010015566.tif 000004
【図３】
2010015566.tif 000005
【図４】
2010015566.tif 000006
【図５】
2010015566.tif 000007
【図６】
2010015566.tif 000008
【図７】
2010015566.tif 000009
【図８】
2010015566.tif 000010
【図９】
2010015566.tif 000011